(57)【要約】【課題】表示装置に表示するアプリケーション等を起動している人以外の第三者が、当該表示装置上で精度良くポインタ表示可能にする。【解決手段】情報処理装置と表示装置とを備える表示システムであって、情報処理装置は、表示装置に表示されている画像を受信する受信部と、画像を表示する画像表示部と、画像表示部に表示された画像に対するポインタの表示位置情報の設定を受け付けるポインタ設定部とを備え、表示装置は、情報処理装置から受信した表示位置情報に基づいて、表示装置に表示されている画像にポインタを重畳する表示画像生成部を備える。【選択図】  図１
2014206599.tif 000002
【特許請求の範囲】
【請求項１】
情報処理装置と表示装置とを備える表示システムであって、
前記情報処理装置は、
前記表示装置に表示されている画像を受信する受信手段と、
前記画像を表示する画像表示手段と、
前記画像表示手段に表示された前記画像に対するポインタの表示位置情報の設定を受け付けるポインタ設定手段と、
を備え、
前記表示装置は、
前記情報処理装置から受信した前記表示位置情報に基づいて、前記表示装置に表示されている前記画像にポインタを重畳する表示画像生成手段を備える
ことを特徴とする表示システム。
【請求項２】
前記情報処理装置は、当該情報処理装置を識別するためのＩＤ情報を管理するＩＤ情報管理手段をさらに備え、
前記表示装置は、前記情報処理装置から受信したＩＤ情報と、予め保持している認証情報とに基づいて、前記情報処理装置を認証する認証処理手段をさらに備えることを特徴とする請求項１に記載の表示システム。
【請求項３】
前記表示画像生成手段は、前記ポインタとともに前記情報処理装置の前記ＩＤ情報を重畳することを特徴とする請求項２に記載の表示システム。
【請求項４】
前記ポインタの表示形態は、前記表示装置と接続される情報処理装置ごとに異なることを特徴とする請求項１乃至３の何れか１項に記載の表示システム。
【請求項５】
前記ポインタ設定手段は、前記画像表示手段に表示された前記画像上でのタッチ操作により前記表示位置情報の設定を受け付けることを特徴とする請求項１乃至４の何れか１項に記載の表示システム。
【請求項６】
前記情報処理装置は、
前記情報処理装置に表示された画像上で指定された位置と、前記表示装置に表示されている前記画像上でのポインタの表示位置とが同一の位置であるモードと、
前記情報処理装置に表示された画像上で指定された移動量に対応して相対的に、前記表示装置に表示されている画像上でポインタを移動させるモードと、
を切り替える切替手段をさらに備えることを特徴とする請求項１乃至５の何れか１項に記載の表示システム。
【請求項７】
情報処理装置と表示装置とを備える表示システムの制御方法であって、
前記情報処理装置において、
受信手段が、前記表示装置に表示されている画像を受信する工程と、
画像表示手段が、前記画像を表示する工程と、
ポインタ設定手段が、前記画像表示手段に表示された前記画像に対するポインタの表示位置情報の設定を受け付ける工程と、
を有し、
前記表示装置において、
表示画像生成手段が、前記情報処理装置から受信した前記表示位置情報に基づいて、前記表示装置に表示されている前記画像にポインタを重畳する工程を有する
ことを特徴とする表示システムの制御方法。
【請求項８】
表示装置と通信可能な情報処理装置であって、
前記表示装置に表示されている画像を受信する受信手段と、
前記画像を表示する画像表示手段と、
前記画像表示手段に表示された前記画像に対するポインタの表示位置情報の設定を受け付けるポインタ設定手段と、
前記表示位置情報を前記表示装置へ送信する送信手段と、
を備えることを特徴とする情報処理装置。
【請求項９】
情報処理装置と通信可能な表示装置であって、
前記表示装置に表示されている画像を前記情報処理装置へ送信する送信手段と、
前記情報処理装置において受け付けられた前記画像に対するポインタの表示位置情報を受信する受信手段と、
前記表示位置情報に基づいて、前記表示装置に表示されている前記画像にポインタを重畳する表示画像生成手段と、
を備えることを特徴とする表示装置。
【請求項１０】
表示装置と通信可能な情報処理装置の制御方法であって、
受信手段が、前記表示装置に表示されている画像を受信する工程と、
画像表示手段が、前記画像を表示する工程と、
ポインタ設定手段が、前記画像表示手段に表示された前記画像に対するポインタの表示位置情報の設定を受け付ける工程と、
送信手段が、前記表示位置情報を前記表示装置へ送信する工程と、
を有することを特徴とする情報処理装置の制御方法。
【請求項１１】
情報処理装置と通信可能な表示装置の制御方法であって、
送信手段が、前記表示装置に表示されている画像を前記情報処理装置へ送信する工程と、
受信手段が、前記情報処理装置において受け付けられた前記画像に対するポインタの表示位置情報を受信する工程と、
表示画像生成手段が、前記表示位置情報に基づいて、前記表示装置に表示されている前記画像にポインタを重畳する工程と、
を有することを特徴とする表示装置の制御方法。
【請求項１２】
請求項１０に記載の情報処理装置の制御方法の各工程をコンピュータに実行させるためのプログラム。
【請求項１３】
請求項１１に記載の表示装置の制御方法の各工程をコンピュータに実行させるためのプログラム。
【発明の詳細な説明】
【技術分野】
【０００１】
本発明は、表示システム、情報処理装置、表示装置、それらの制御方法及びプログラムに関する。
【背景技術】
【０００２】
近年、パーソナルコンピュータ上にあるプレゼンテーションファイル、動画ファイルなどを大画面ディスプレイ上に表示しながら、講演や会議がよく行われている。そして講演者が聴衆や会議の出席者に注目してもらいたい場合にはディスプレイ上の特定個所にポインタを表示することが多い。例えばパーソナルコンピュータに接続したマウスを動かすことによって表示されるポインタやレーザポインタの照射光を、直接ディスプレイにあてたりしていた。一方、会議において討論する場合や講演において聴衆から質問したり、コメントしたりする場合はレーザポインタが使われる場合が多かった。また、最近ではレーザポインタの代わりにリモコンやスマートフォンを使ってポインタを表示するケースもあり、特許文献１ではリモコンを使ってポインタを表示する技術が開示されている。
【先行技術文献】
【特許文献】
【０００３】
【特許文献１】特開２０１０-２３７９２５号公報
【発明の概要】
【発明が解決しようとする課題】
【０００４】
しかしながら、特許文献１に記載の技術では、パーソナルコンピュータ上のファイル等を操作する講演者以外の会議出席者や講演の聴衆が、ディスプレイ上に精度良くポインタ表示できない。特に、ディスプレイ上の画像の特定位置を正確にポインタ表示することは困難である。
【０００５】
上記の課題に鑑み、本発明は、表示装置に表示するアプリケーション等を起動している人以外の第三者が、当該表示装置上で精度良くポインタ表示可能にすることを目的とする。
【課題を解決するための手段】
【０００６】
上記の目的を達成する本発明に係る表示システムは、
情報処理装置と表示装置とを備える表示システムであって、
前記情報処理装置は、
前記表示装置に表示されている画像を受信する受信手段と、
前記画像を表示する画像表示手段と、
前記画像表示手段に表示された前記画像に対するポインタの表示位置情報の設定を受け付けるポインタ設定手段と、
を備え、
前記表示装置は、
前記情報処理装置から受信した前記表示位置情報に基づいて、前記表示装置に表示されている前記画像にポインタを重畳する表示画像生成手段を備える
ことを特徴とする。
【発明の効果】
【０００７】
本発明によれば、表示装置に表示するアプリケーション等を起動している人以外の第三者が、当該表示装置上で精度良くポインタ表示可能になる。
【図面の簡単な説明】
【０００８】
【図１】（ａ）第１及び第２実施形態に係る表示システムを使用した会議の一例を示す図、（ｂ）第１実施形態に係る表示システムの構成例及びポインタ関連情報のデータフローを示す図。
【図２】第１実施形態に係る表示システム（表示装置及び情報処理装置）の動作手順を示すフローチャート。
【図３】第１実施形態に係るポインタ画像データの一例を示す図。
【図４】（ａ）第１実施形態に係る表示装置におけるプレゼンテーション用画像の一例を示す図、（ｂ）第１実施形態に係る表示装置から情報処理装置へ転送された画像の情報処理装置上での表示例を示す図、（ｃ）第１実施形態に係る情報処理装置から表示装置へ送信された位置情報に対応した、表示装置上でのポインタ表示例を示す図。
【図５】第２実施形態に係る表示システムの構成例及びポインタ関連情報のデータフローを示す図。
【図６】（ａ）第２実施形態に係る情報処理装置（画像非対応表示）での表示例を示す図、（ｂ）第２実施形態に係る情報処理装置（画像非対応表示）でのポインタ設定のためのタッチ軌跡の一例を示す図、（ｃ）第２実施形態に係る情報処理装置（画像非対応表示）から表示装置へ送信された位置情報に対応した、表示装置上でのポインタ表示例を示す図。
【図７】第２実施形態に係る表示システム（表示装置及び情報処理装置）の動作手順を示すシーケンス図。
【発明を実施するための形態】
【０００９】
（第１実施形態）
本実施形態では、表示装置上の画像を情報処理装置（携帯情報端末等）上に転送し、情報処理装置に表示した転送画像上で画像に対応して正確にポインタ表示位置をユーザが指定する。そして、そのポインタ表示位置をポインタ情報として表示装置に返送することにより、表示装置上で正確な位置にポインタ表示する例を説明する。
【００１０】
図１（ａ）は、第１実施形態に係る表示システムを使用した会議の一例を示す図である。１０は会議の発表者、２０は会議の出席者を示す。１００は発表者１０が説明に使うプレゼンテーションファイルや、画像ファイル等が入っているパーソナルコンピュータである。３００はパーソナルコンピュータ１００内のプレゼンテーションファイルや、画像ファイル等を表示するための表示装置である。４００はパーソナルコンピュータ１００と、表示装置３００とを接続するためのケーブルである。２００は会議の出席者２０が持っている情報処理装置（携帯情報端末等）である。なお、５０は会議の出席者であり、５００は会議の出席者５０が持っている情報処理装置（携帯情報端末等）であって、これらについては第２実施形態で詳述する。各情報処理装置と表示装置とは通信可能である。
【００１１】
会議の発表者１０がパーソナルコンピュータ１００においてプレゼンテーションファイル、画像ファイル等を開き、ケーブル４００を介してそれらを表示装置３００に表示する。会議の発表者１０が表示装置３００上でポインタ表示したい位置を正確に指定する場合はパーソナルコンピュータ１００に接続したマウスなどを使えば特定の位置にポインタを表示できる。これに対して、以下では、会議の出席者２０が表示装置３００上でポインタ表示したい位置を、情報処理装置２００を使用して正確に指定するための構成を説明する。
【００１２】
図１（ｂ）は、第１実施形態に係る表示システムの構成例及びポインタ関連情報のデータフローを示す図である。
【００１３】
情報処理装置２００は、ＩＤ情報管理部２０１と、ポインタ設定部２０２と、画像表示部２０３とを有している。ＩＤ情報管理部２０１は、情報処理装置２００の識別情報や使用者の個人情報などのＩＤ情報を管理する。ポインタ設定部２０２は、表示装置３００から転送されてきた表示画像を受信し、表示画像に対してどの位置にポインタを表示させるかを設定する。画像表示部２０３は、ポインタ設定部２０２から取得した画像を表示するとともにポインタ位置データをポインタ設定部２０２へ転送する。
【００１４】
表示装置３００は、認証処理部３０１と、表示画像生成部３０２と、画像表示部３０３とを有している。認証処理部３０１は、ＩＤ情報管理部２０１から情報処理装置２００のＩＤ情報を受け取り、認証処理を行う。端末リスト３０１１は、認証処理前にあらかじめ設定され、認証処理部３０１内に保持されている認証情報であり、表示装置３００との通信が許可されている情報処理装置の端末リストである。表示画像生成部３０２は、表示装置３００の表示画像を生成する。画像表示部３０３は、表示画像生成部３０２が生成した表示画像を表示する。なお、情報処理装置２００と表示装置３００との間のデータ送受信は無線通信で行うようになっている。
【００１５】
以下、図２のフローチャートを参照して、本実施形態に係る表示システムの動作手順を説明する。まず会議の出席者２０が情報処理装置２００を使ってポインタ表示処理を開始する。
【００１６】
ステップＳ２０１において、情報処理装置２００は、ＩＤ情報管理部２０１からＩＤ情報を表示装置３００の認証処理部３０１に送信し、認証処理部３０１は当該ＩＤ情報と端末リスト３０１１とを照合することにより認証処理を行う。認証処理部３０１が情報処理装置２００を認証した場合（Ｓ２０１；ＹＥＳ）、ステップＳ２０２へ進む。一方、認証処理部３０１が情報処理装置２００を認証しない場合（Ｓ２０１；ＮＯ）、ポインタ表示処理は終了となる。
【００１７】
ステップＳ２０２において、会議の出席者２０は情報処理装置２００の画像表示部２０３上にタッチするなどしてポインタ設定部２０２に対してポインタ設定を行う。ポインタ設定では、会議の出席者２０があらかじめ用意されているポインタ画像の中から使用するポインタ画像を選択したり、表示するポインタ画像の表示形態（形状、サイズ、色など）を決定したりする。
【００１８】
ここで図３は本実施形態において選択されたポインタ画像データの一例を示す。なお、ポインタ表示する際に付加情報として、情報処理装置２００内に保持されている出席者２０の氏名、メールアドレスなどの個人情報（ＩＤ情報）を併せて表示してもよい。ポインタ表示設定が完了したら、情報処理装置２００のポインタ設定部２０２から表示装置３００の表示画像生成部３０２へポインタ表示開始を通知する。
【００１９】
ステップＳ２０３において、ポインタ表示開始の通知を受けた表示装置３００は、情報処理装置２００に対して表示画像を転送する。ここで図４（ａ）は、表示装置３００から情報処理装置２００に転送される表示画像の一例を示す。情報処理装置２００において、ポインタ設定部２０２から画像表示部２０３に表示画像が送られ、当該表示画像を受信した情報処理装置２００において表示される。
【００２０】
ステップＳ２０４において、会議の出席者２０は画像表示部２０３に表示されている表示装置３００からの転送画像上でタッチ操作を行うなどして、ポインタ表示位置を設定する。ここで図４（ｂ）は、情報処理装置２００の画像表示部２０３に表示された表示装置３００からの転送画像上をタッチすることによりポインタを表示させたい位置に「＋」マーク４０１を表示させた状態を示す。ポインタ表示位置は画像表示部２０３からポインタ設定部２０２に送られポインタ表示位置情報として確定する。このポインタ表示位置設定が完了するまでは、随時表示装置３００から表示画像が情報処理装置２００に転送され続ける。すなわち、ポインタ表示位置設定が完了していない場合（Ｓ２０４；ＮＯ）、ステップＳ２０２に戻る。一方、ポインタ表示位置設定が完了した場合（Ｓ２０４；ＹＥＳ）、ステップＳ２０５へ進む。
【００２１】
ステップＳ２０５において、情報処理装置２００は、表示装置３００へポインタ画像データ及びポインタ表示位置データを送信する。
【００２２】
ステップＳ２０６において、表示装置３００は、表示画像生成部３０２において情報処理装置２００から要求のあったポインタ表示が可能か否かを判定する。例えばポインタ表示設定の値が所定の範囲内か、他の情報処理装置の設定と重なっていないか等を判断し、表示可能か否かを判定する。ポインタ表示不可と判定された場合（Ｓ２０６；ＮＯ）、ステップＳ２０２に戻り、情報処理装置２００に再設定を促す。一方、ポインタ表示可能と判定された場合（Ｓ２０６；ＹＥＳ）、ステップＳ２０７へ進む。
【００２３】
ステップＳ２０７において、表示装置３００内の表示画像生成部３０２は、現在の表示画像にポインタ画像を合成して画像表示部３０３に転送し、画像表示部３０３は合成画像を表示する。図４（ｃ）はこのときの表示装置３００の表示画像の一例を示す。情報処理装置２００の画面上でタッチした位置に対応する表示装置３００上の位置において、「＋」マーク４０１の代わりにスマイルマーク４０２がポインタとして表示されている。このスマイルマーク４０２は、このポインタが会議の出席者２０が表示させた情報処理装置２００に対応したポインタであることを示すものである。
【００２４】
ステップＳ２０８において、情報処理装置２００は、ポインタを消去するか、継続して表示するかの選択を受け付ける。ポインタを消去する場合（Ｓ２０８；ＹＥＳ）、ステップＳ２０９へ進む。一方、ポインタを継続して表示する場合（Ｓ２０８；ＮＯ）、ステップＳ２１０へ進む。なお、特にポインタ消去の操作をしない限り、ポインタを継続して表示するようにしてもよい。
【００２５】
ステップＳ２０９において、情報処理装置２００からポインタ画像データを削除して再度表示装置３００へ転送し、表示画像生成部３０２においてポインタを消去した表示画像を生成し、画像表示部３０３で表示する。ポインタを消去した後は、ステップＳ２０２に戻る。
【００２６】
ステップＳ２１０において、表示装置３００は、画像表示部３０３の表示画像に変化があるか否かを判定する。表示画像に変化があると判定された場合（Ｓ２１０；ＹＥＳ）、ステップＳ２０３に戻り、再び表示装置３００の表示画像を情報処理装置２００に転送する。一方、表示画像に変化がないと判定された場合（Ｓ２１０；ＮＯ）、ステップＳ２０８に戻り、ポインタ消去か否か、表示画像に変化があるか否かを確認し続ける。ポインタ消去の操作がなく、表示画像に変化もない場合はポインタの表示を継続する。
【００２７】
以上説明したように、本実施形態によれば、表示装置の表示画像を情報処理装置に転送し、情報処理装置上で転送画像の所望の位置をタッチ等することにより、表示装置の表示画像上の正確な位置にポインタを表示制御することができる。また、表示装置が情報処理装置を識別してポインタを表示する位置情報を受け取る際に、ポインタの表示形態（形状、色、大きさなど）を情報処理装置ごとに変えることによって、どの情報処理装置からのポインタなのかを容易に識別することができる。
【００２８】
（第２実施形態）
第２実施形態では、表示装置上の画像に対応したポインタ表示（画像対応表示モード）と、表示装置上の画像と対応しないポインタ表示（画像非対応表示モード）とを切り替える例を説明する。
【００２９】
本実施形態では、図１（ａ）の会議の出席者５０及び当該出席者５０の情報処理装置５００（携帯情報端末等）と、表示装置３００とを主に参照する。
【００３０】
図５は、第２実施形態に係る表示システムの構成例及びポインタ関連情報のデータフローを示す図である。情報処理装置５００の各構成要素、表示装置３００の各構成要素は第１実施形態で説明した構成と同様であるため説明を省略する。
【００３１】
第１実施形態と異なるのは、ポインタ設定部５０２から表示画像生成部３０２にまずポインタ表示設定情報５０００が送信される点である。ポインタ表示設定情報５０００には、ポインタが画像対応表示かどうかを示す情報、ポインタ表示動作の開始通知などが含まれる。
【００３２】
ここでポインタの画像対応表示とは、第１実施形態で示したように表示装置３００上の画像に対するポインタの表示位置情報を表示装置３００へ送信する方式である。すなわち、情報処理装置に表示された画像上で指定された位置と、表示装置に表示されている画像上でのポインタの表示位置とが同一の位置であるモードである。また、画像非対応表示とは、情報処理装置５００の画面上でのペンまたは指先のタッチにより、表示装置３００の表示画像とは無関係にポインタの相対的な移動情報を送信する方式である。すなわち、情報処理装置に表示された画像上で指定された移動量に対応して相対的に、表示装置に表示されている画像上でポインタを移動させるモードである。情報処理装置はこれらのモードを切替可能である。
【００３３】
第２実施形態に係る表示システムの動作手順は、図２のフローチャートを参照して説明した手順と同様であるが、ステップＳ２０２の処理が異なっている。
【００３４】
本実施形態に係るステップＳ２０２においては、会議の出席者５０は情報処理装置５００の画像表示部５０３上にタッチするなどしてポインタ設定部２０２に対してポインタ表示設定を行う。このポインタ表示設定は第１実施形態とは異なり、ポインタ表示動作の開始を表示装置３００に通知するだけでなく、画像対応表示／画像非対応表示を示す情報も同時に送信する。
【００３５】
ここで、ポインタ表示設定が画像対応表示である場合には、第１実施形態と同様に、図４（ａ）に示されるような表示装置３００の表示画像を情報処理装置５００に転送し、図４（ｂ）のように情報処理装置５００上でポインタ表示位置の設定を行う。そして表示装置３００上に、図４（ｃ）のように情報処理装置５００のポインタを表示した画像を表示する。
【００３６】
これに対して、ポインタ表示設定が画像非対応表示である場合には異なる処理を実行する。以下では、図６を参照して、ポインタ表示設定が画像非対応表示の場合の情報処理装置５００のポインタ表示設定および表示装置３００上のポインタ表示について説明する。
【００３７】
図６（ａ）は、画像非対応表示の場合の情報処理装置５００の表示画像を示す図である。この場合、会議の出席者５０は表示装置３００の表示画像に対応したポインタ表示をしないが、ポインタを表示する表示装置を確認するため、表示装置３００からの転送画像を薄く表示している。
【００３８】
図６（ｂ）は、情報処理装置５００上でのポインタ設定のためのタッチの軌跡を示す図である。表示装置３００上に表示されるポインタを動かすため、左から右方向にこのような軌跡６０１を描くようにタッチする。
【００３９】
図６（ｃ）は、図６（ｂ）のようなタッチの前後で表示装置３００上に表示される情報処理装置５００のポインタの動きを示す図である。このように情報処理装置５００を示すスマイルマーク６０２のポインタが図６（ｂ）に示したタッチの軌跡に対応して左から右に移動している。
【００４０】
以上のようにして、ポインタの画像非対応表示が実現できる。
【００４１】
次にポインタの画像対応表示、画像非対応表示の切替について説明する。図７は、第２実施形態に係る表示システムによるポインタ表示動作の手順を示すシーケンス図である。
【００４２】
ステップＳ７０１において、情報処理装置５００は表示装置３００に対して認証要求を行い、ステップＳ７０２において、表示装置３００は情報処理装置５００を認証する。
【００４３】
ステップＳ７０３において、情報処理装置５００は表示装置３００に対して画像対応ポインタ表示を行うポインタ表示設定を送信し、ポインタ表示動作を開始する。ステップＳ７０４において、表示装置３００は情報処理装置５００にポインタ表示設定を受付けたことを通知する。
【００４４】
ステップＳ７０５において、表示装置３００は情報処理装置５００に対して表示画像の転送を開始する。表示装置３００から情報処理装置５００に転送される表示画像は、例えば第１実施形態と同様に図４（ａ）に示す画像である。
【００４５】
ステップＳ７０６において、情報処理装置５００の画面上に表示装置３００から転送された画像が表示され、以降転送画像に対応して表示される画像が変化する。ステップＳ７０７において会議の出席者５０は情報処理装置５００の画面に表示した転送画像上の所望の位置をペンまたは指などでタッチし、ポインタを表示させたい場所を示す。第１実施形態と同様に、このとき情報処理装置５００に表示される表示装置３００からの転送画像上にポインタを表示させる位置にタッチすることにより「＋」マークを表示させた状態は図４（ｂ）に示す通りである。
【００４６】
ステップＳ７０８において、情報処理装置５００は図３に示すようなポインタ画像データ、およびポインタ画像を転送画像のどの位置に置くかを示すポインタ位置データを表示装置３００に送信する。
【００４７】
ステップＳ７０９において、表示装置３００は情報処理装置５００から送信されたポインタ画像を元の表示画像におけるポインタ位置データの示す位置に重畳した表示画像を合成し、表示する。このときの表示装置３００の表示画像は、第１実施形態と同様図４（ｃ）に示す通りである。
【００４８】
ステップＳ７１０において、情報処理装置５００は表示装置３００に対してポインタ消去を通知する。ステップＳ７１１において、表示装置３００は情報処理装置５００から送信されていたポインタを消去する。
【００４９】
次に、ステップＳ７１２において、情報処理装置５００は表示装置３００に対して画像非対応表示を行うポインタ表示設定を送信する。ステップＳ７１３において、表示装置３００は情報処理装置５００にポインタ表示設定が受付けられたことを通知する。
【００５０】
ステップＳ７１４において、表示装置３００は情報処理装置５００に対して表示画像の転送を開始する。表示装置３００から情報処理装置５００に転送される表示画像は図４（ａ）に示すものである。
【００５１】
ステップＳ７１５において、情報処理装置５００の画面上に表示装置３００から転送された画像が図６（ａ）に示すように薄く表示され、以降転送画像に対応して表示される画像が変化する。ステップＳ７１６において、会議の出席者５０は情報処理装置５００の画面上を所望のポインタ移動に対応してペンまたは指でタッチする。情報処理装置５００上でのタッチの軌跡６０１は図６（ｂ）に示す通りである。
【００５２】
ステップＳ７１７において、情報処理装置５００は図３に示すポインタ画像および図６（ｂ）に示すタッチの軌跡６０１が表すポインタの移動データを表示装置３００に送信する。そしてステップＳ７１８において、表示装置３００は図６（ｂ）に示すタッチの軌跡６０１に対応して図６（ｃ）に示すように情報処理装置５００のポインタ（スマイルマーク６０２）を移動させる。
【００５３】
ステップＳ７１９において、情報処理装置５００は表示装置３００に対してポインタ消去を行うことを通知する。ステップＳ７２０において、表示装置３００はポインタ消去を行う。このときの表示装置３００の表示画像は図４（ａ）に示すものと同一である。
【００５４】
以上説明したように、本実施形態によれば、表示装置の表示画像に対応した位置にポインタを表示させるか、表示画像に無関係に移動量のみ反映させてポインタを表示させるかを、情報処理装置から表示装置に送信するポインタ表示設定によって切り替えることができる。
【００５５】
（その他の実施形態）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2014206599.tif 000003
【図２】
2014206599.tif 000004
【図３】
2014206599.tif 000005
【図４】
2014206599.tif 000006
【図５】
2014206599.tif 000007
【図６】
2014206599.tif 000008
【図７】
2014206599.tif 000009